(57)【特許請求の範囲】
【請求項１】
最上階と最下階の間に、床構造体によって分割された一つまたは複数の中間階を有する、複数階の展示場建物において、
床構造体が取り外し不能な第１床部分と、第１床部分に設けた吹き抜け開口に固定手段により取り外し可能に固定される第２床部分から成り、
第２床部分は、それぞれ複数の床板エレメントを連結手段で連結して成る、一つまたは複数の床ユニットと、床板エレメントを載せて昇降可能な自走昇降装置と、から成り、各床ユニットがそれぞれ固定手段により第１床部分に取り外し可能に固定されていて、
床ユニット単位で床構造体の上と下にある階の間を吹き抜けにすることができることを特徴とする展示場建物。
【請求項２】
連結手段は複数の床板エレメントの内部に設けた穴を貫通し、複数の床板エレメントを締めつける貫通棒部材である、ことを特徴とする請求項１に記載の展示場建物。
【請求項３】
床板エレメントを載せて昇降可能な複数の自走昇降装置を備え、
床ユニットを取り外す場合は、固定手段の解除後、該複数の自走昇降装置で個々の床板エレメントを同時に持ち上げて、連結手段を除去し、その後、各床板エレメントを各自走昇降装置で降下せしめてから床板エレメントを格納室へ移動格納するようにされ、
床ユニットを取り付ける場合は、格納室から各床板エレメントを取り付け部の下側の階の当該部位に自走昇降装置で移動し、取り付け部の上方まで持ち上げて同じ高さに保持して連結部材を組み込み、その後、同時に下降させて、固定手段により、第１床部材に固定するようにされている、
ことを特徴とする、請求項１に記載の展示場建物の設営方法。
【請求項４】
自走昇降装置を各階に移動可能なリフターを有することを特徴とする請求項１に記載の展示場建物。
【請求項５】
自走昇降装置は遠隔制御可能であることを特徴とする請求項１に記載の展示場建物。
【請求項６】
第１床部材と第２床部材の間の隙間、床ユニットを構成する床板エレメントの間の隙間をシールするシール部材を有することを特徴とする請求項１に記載の展示場建物。
【請求項７】
自走昇降装置が複数備えられていて、複数の自走昇降装置が連結可能であることを特徴とする請求項１に記載の展示場建物。
【発明の詳細な説明】
【０００１】
【発明の属する技術分野】
本発明は展示場建物、複数階にわたる吹き抜けを任意に形成できる展示場建物の設営方法に関する。
【０００２】
【従来の技術】
博物館等の展示をおこなう展示場の建物は、一般の建物にはない特別な機能が要求される。というのは、展示場では、展示品は次々に入れ換えられ、展示品の大きさ、観客動員数に応じて、各区画展示室を統廃合して展示空間を調節しなければならないからである。
例えば、工芸品、絵画、図表、模型等は小さな空間に展示できるが、機械装置、ロケット、巨大恐竜骨格等は大きな空間を必要とする。
【０００３】
従来から広く使用されている展示場は、新築当初から或る程度展示内容や展示規模を想定して一定空間の部屋を固定状態で建築したものが多く、極小規模の展示に対しては展示部屋の内部でキャスター付き衝立や、パネル状の仮設の間仕切壁を使用して規模調節を行っていた。
【０００４】
【発明が解決しようとする課題】
然し、上記のような展示場では、キャスター付き衝立やパネル状の仮設間仕切壁を使用することで、通常の大きさの展示室の内部で幾つかのグループにまとめた展示テーブルや通路に応じて簡便に仕切って工芸品や絵画等の比較的小型の展示品に適した規模変更を行うことができるが、中規模以上の展示場では使用しない空間が大きくなって空調も無駄に成る場合があった。また、巨大恐竜骨格や、機械装置、ロケット等の比較的大型の展示物に対しては拡張に限界があり、殆どそれらの展示が不可能であった。また、幾種類かの展示会を同時に行う場合に、それら会場間の仕切りや防音が不十分に成る惧れもあった。
【０００５】
本発明は、上記問題に鑑み、上下方向の空間を調節可能な複数階の展示場建物及びその設営方法を提供することを目的とする。
【０００６】
【課題を解決するための手段】
請求項１の発明によれば、最上階と最下階の間に、床構造体によって分割された一つまたは複数の中間階を有する、複数階の展示場建物において、床構造体が取り外し不能な第１床部分と、第１床部分に設けた吹き抜け開口に固定手段により取り外し可能に固定される第２床部分から成り、第２床部分は、それぞれ複数の床板エレメントを連結手段で連結して成る、一つまたは複数の床ユニットと、床板エレメントを載せて昇降可能な自走昇降装置と、から成り、各床ユニットがそれぞれ固定手段により第１床部分に取り外し可能に固定されていて、床ユニット単位で床構造体の上と下にある階の間を吹き抜けにすることができる展示場建物が提供される。
このように構成された展示場建物では、展示物の大きさに応じて、床ユニット単位で吹き抜けを形成することができる。
【０００７】
請求項２の発明によれば、請求項１の発明において、連結手段は複数の床板エレメントの内部に設けた穴を貫通し、複数の床板エレメントを締めつける貫通棒部材である展示場建物が提供される。
請求項３の発明によれば、床板エレメントを載せて昇降可能な複数の自走昇降装置を備え、床ユニットを取り外す場合は、固定手段の解除後、該複数の自走昇降装置で個々の床板エレメントを同時に持ち上げて、連結手段を除去し、その後、各床板エレメントを各自走昇降装置で降下せしめてから床板エレメントを格納室へ移動格納するようにされ、床ユニットを取り付ける場合は、格納室から各床板エレメントを取り付け部の下側の階の当該部位に自走昇降装置で移動し、取り付け部の上方まで持ち上げて同じ高さに保持して連結部材を組み込み、その後、同時に下降させて、固定手段により、第１床部材に固定するようにされている、請求項１に記載の展示場建物の設営方法が提供される。
【０００８】
請求項４の発明によれば、請求項１の発明において、自走昇降装置を各階に移動可能なリフターを有する展示場建物が提供される。
請求項５の発明によれば、請求項１の発明において、自走昇降装置は遠隔制御可能である展示場建物が提供される。
請求項６の発明によれば、請求項１の発明において、第１床部材と第２床部材の間の隙間、床ユニットを構成する床板エレメントの間の隙間をシールするシール部材を有する展示場建物が提供される。
請求項７の発明によれば、請求項１の発明において、自走昇降装置が複数備えられていて、複数の自走昇降装置が連結可能である展示場建物が提供される。
【０００９】
【発明の実施の形態】
本発明の実施の形態を添付図面を参照にして以下に詳細に説明する。
図１、２、３に示すように、展示場１は、例えば３階建の博物館の建て屋２の一対の平行な長手方向の展示室隔壁１１、１１の間において２重カーテン等の可動間仕切壁によって水平方向に複数に区画され、床３によって水平方向に区画された複数の展示室５を有する。各階の展示室５の一方の側には階段やエレベータに通ずる廊下６が設けられており、他方の側にはリフター７や、管理室、保管室等が設けられている。
【００１０】
各隔壁１１には、ロック可能な出入り口扉１５が各展示室５に対応して少なくとも一つ設けられており、複数階に渡って大きな展示会場を設営した場合に安全を確保する為に上階の廊下の出入り口扉１５をロックして出入りできないようにすることができる。また逆に上階の廊下の出入り口扉１５を開放して安全柵を設け、上からの展示物の観賞ができるようにすることもできる。
建て屋２は、図１において左端に、１階から３階まで吹き抜けるアトリウム８が設けられ、その右隣には、２階から３階に吹き抜けるアトリウム８’が設けられているが、これらは、分割不能であり、本発明とは関係ない。
【００１１】
２、３階の展示室５の床２０は、梁等（図示せず）に固定され取り外し不能の第１床部分２１と、第１床部分２１に形成された吹き抜け開口２２に、取り付け得る取り外し、除去可能な第２床部分２３から成る。
この実施の形態では、第２床部分２３は、９個の床ユニット３０から成り、各床ユニット３０が別々に第１床部分２１に固定される。
【００１２】
図４に示されるように、床ユニット３０は、上側の比較的軽い化粧床３０Ａと、下側の重いプレキャストコンクリート製の躯体床３０Ｂとから構成されていて、上部化粧床版３０Ａは、２分割される薄い化粧床パネル３２、３３から構成され、躯体床３０Ｂに取付け金具３１で固定されるが、取付け金具３１を解放後には各々人手で運べる。そして、化粧床パネル３２、３３の接合部Ｓ１、化粧床パネル３２と第１床部材２１の接合部Ｓ２、化粧床パネル３２と第１床部材２１の接合部Ｓ３、には隙間を埋めるべく目地シールが設けられている。
【００１３】
躯体床３０Ｂは、第１床部分２１の段付きの吹き抜け開口２２の下部水平部２４に載置され、固定金具３４によって段付きの吹き抜け開口２２の上部水平部２５に固定されるが、互いにガイドキー３９で位置合わせしてから締結手段としての複数のＰＣ鋼弦３５によって圧縮応力が与えられるように締結された３個の躯体床エレメント３６、３７、３８から構成されている。
第２床部分２３を何個の床ユニット３０で構成するか、また、各床ユニット３０を何個の床エレメントで構成するかは、リフター７の出入り口や奥行きの大きさや昇降荷重限度や格納庫の間口の大きさ等によって決められる。
【００１４】
次に、図５を参照して、遠隔操作される自走昇降装置４０について説明する。自走昇降装置４０は、１つの床ユニット３０に含まれる躯体床エレメントの数だけ用意されている。したがって、この場合は、３台用意され、連結器４１で互いに連結することも可能である。
自走昇降装置４０はそれぞれバッテリを備え、駆動輪４２を可逆転駆動モータで回転せしめて、また図示しない操舵輪を操舵モータで駆動して、移動をおこなうが、これらはオペレータにより遠隔制御される。
そして、昇降テーブル４５をジャッキ４６によって昇降するが、昇降テーブル４５はガイドレール４７に沿って昇降され、また若干左右に（床ユニット３０の長手方向に）スライド移動できるようにスライド機構を有する。これらの昇降テーブル４５の操作もオペレータにより遠隔制御される。
【００１５】
リフター７は、図３に示されるように、建て屋２の廊下６とは反対側の展示室隔壁１１の端において外側に設けられており、エレベータと同じ原理で昇降作動するものであり、各躯体床エレメント３６、３７、３８を載せた各自走昇降装置４０を搭載するリフター本体７１と、昇降案内部７３と、カウンターウエイト等を有した昇降駆動装置７５とから構成されている。
【００１６】
以上の構成の展示場１を模様替えで大型で背の高い展示物を展示する為に吹き抜け開口２２を開いて吹き抜け状態にする手順を図６を参照して説明する。
先ず上部の化粧床３０Ａの取付け金具３１を解放後に、各々２組の薄い化粧床パネル３２、３３を人手で運び出し、下部の躯体床３０Ｂの固定金具３４を解放する。
【００１７】
次に図６（ａ）に示すように、３台の自走昇降装置４０を連結装置４１で連結した状態で床ユニット３０をリフトアップし、躯体床エレメント３６、３７、３８を連結していたＰＣ鋼弦３５を緩めて引き抜く。
次に図６（ｂ）に示すように、両外側の自走昇降装置４０の昇降テーブル４５を両外側にスライド機構でスライドして、各躯体床エレメント３６、３７、３８間のガイドキー３９を外す。
【００１８】
次に図６（ｃ）に示すように、中央の躯体床エレメント３７の下の昇降テーブル４５をジャッキダウンして下降させて、自走昇降装置４０間の連結を解放してから中央の自走昇降装置４０をリフター７まで移動させる。自走昇降装置４０ごとリフター７に乗せて格納庫のある階へ移動して躯体床エレメント３７を格納する。空いた自走昇降装置４０は、次の搬出の為に戻る。
【００１９】
次に図６（ｄ）に示すように、両外側の自走昇降装置４０の昇降テーブル４５を内側にスライド機構でスライドして元の位置に戻す。
次に図６（ｅ）に示すように、両外側の自走昇降装置４０を内側に移動させる。
さらに、図６（ｆ）に示すように、両外側の自走昇降装置４０の昇降テーブル４５を下降させて、その後、各々の自走昇降装置４０をリフター７まで移動させて、自走昇降装置４０ごとリフター７に乗せて格納庫のある階へ移動して各躯体床エレメント３６、３８を格納する。空いた自走昇降装置４０は、次の搬出の為に戻る。
【００２０】
また、これらの逆手順によって格納室から床構造体２０の吹き抜け用開口２２における閉鎖位置へ躯体床エレメント３６、３７、３８を戻し移送して組立て、締結して固定し、上部化粧床３０Ａの２組の薄い化粧床パネル３２、３３を戻して固定することで第２床部分を復元できることは明らかである。
本発明の実施の形態は、以上のようにして、展示物の大きさに応じて、床ユニット単位で吹き抜けを形成することができ、無駄の少ない展示上必要な空間を確保でき、最適な空調を行い、冷暖房効果を高めることができる。
【００２１】
【発明の効果】
各請求項に記載に発明による複数階の展示場建物及びその設営方法においては、最上階と最下階の間に、床構造体によって分割された一つまたは複数の中間階を有するが、床構造体が取り外し不能な第１床部分と、第１床部分に設けた吹き抜け開口に固定手段により取り外し可能に固定される第２床部分から成り、第２床部分は、それぞれ複数の床板エレメントを連結手段で連結して成る、一つまたは複数の床ユニットと、床板エレメントを載せて昇降可能な自走昇降装置と、から成り、各床ユニットがそれぞれ固定手段により第１床部分に取り外し可能に固定されていて、床ユニット単位で床構造体の上と下にある階の間を吹き抜けにすることができ、展示物の大きさに応じて、床ユニット単位で吹き抜けを形成することができ、無駄の少ない展示上必要な空間を確保することで最適な空調を行い、冷暖房効果を高めることができる。
【００２２】
特に、請求項３のようにすれば、複数の移動可能な自走昇降装置を備えているので、床ユニットの脱着、格納を容易におこなうことができる。
特に、請求項４のようにすれば、リフトで自走昇降装置を各階に移動でき、各階毎に昇降手段を配置しておく必要がなくコストがかからない。
特に、請求項５のようにすれば、遠隔操作で床ユニットの移動をおこなうことができ人手がかからず展示場の設営費が低減できる。
特に、請求項６のようにすれば、第１床部材と第２床部材の間の隙間、床ユニットを構成する床板エレメントの間の隙間がシールされ、遮音性、冷暖房性が向上する。
また、請求項１を引用する請求項７は、請求項１と同様の作用効果を奏する。
【図面の簡単な説明】
【図１】本発明に係る代表実施例の展示場の建て屋の上階の平面図である。
【図２】図１における矢視線II−IIに沿った同展示場の建て屋の長手方向の断面図である。
【図３】図１における矢視線III −III に沿った同展示場の建て屋の短手方向の断面図である。
【図４】床ユニットの断面図である。
【図５】床ユニットを自走昇降装置によって持ち上げた状態を示す正面図である。
【図６】床ユニットを吹き抜け開口から取り外す手順を示しており、
（ａ）は化粧床を外した後、躯体床をＰＣ鋼弦を抜くまで自走昇降装置で持ち上げた状態を示しており、
（ｂ）は中央の躯体床エレメントを下降させる為に両外側の躯体床エレメントを両外側にスライドさせた状態を示しており、
（ｃ）は中央の躯体床エレメントを下降させた状態を示しており、
（ｄ）は両外側の躯体床エレメントを内側にスライドして戻した状態を示しており、
（ｅ）は両外側の自走昇降装置を内側に移動させた状態を示しており、
（ｆ）両外側の躯体床エレメントを下降させた状態を示している。
【符号の説明】
５…展示室
６…廊下
７…リフター
２０…床構造体
２１…第１床部材
２２…吹き抜け開口
２３…第２床部材
３０…床ユニット
３０Ａ…化粧床
３０Ｂ…躯体床
３２、３３…化粧床パネル
３５…締結手段
３６、３７、３８…躯体床エレメント
３９…ガイドキー
４０…自走昇降装置
【図１】
0003917795.tif 000002
【図２】
0003917795.tif 000003
【図３】
0003917795.tif 000004
【図４】
0003917795.tif 000005
【図５】
0003917795.tif 000006
【図６】
0003917795.tif 000007